(57)【要約】【課題】光コネクタの損傷を抑制しつつ、安全性に優れた照明装置を提供する。【解決手段】照明装置１は、レーザー光を出射するレーザー素子８３と、レーザー光を伝送させる伝送体１１と、伝送体１１を伝送したレーザー光が入射する光コネクタ２０と、光コネクタ２０から出射されたレーザー光によって波長変換光を発する波長変換素子４０と、光コネクタ２０が出射したレーザー光を波長変換素子４０に入射させる第１レンズ３０と、波長変換光を照射する灯具５とを備える。また、灯具５は、光コネクタ２０を着脱自在に保持する保持部１５０ａを有する。さらに、光コネクタ２０は、透光性を有し、入射したレーザー光をミキシングして出射する光学部品１３０と、遮光性を有し、光学部品１３０と伝送体１１の一部とを収容する筐体１２０とを有する。そして、第１レンズ３０は、光コネクタ２０から波長変換素子４０までの光路上に配置されている。【選択図】図１Ｂ
2020024797.tif 000002
【特許請求の範囲】
【請求項１】
レーザー光を出射するレーザー素子と、
前記レーザー光を伝送させる伝送体と、
前記伝送体を伝送した前記レーザー光が入射する光コネクタと、
前記光コネクタから出射された前記レーザー光によって波長変換光を発する波長変換素子と、
前記光コネクタが出射した前記レーザー光を前記波長変換素子に入射させる第１レンズと、
前記波長変換光を照射する灯具とを備え、
前記灯具は、前記光コネクタを着脱自在に保持する保持部を有し、
前記光コネクタは、
透光性を有し、入射した前記レーザー光をミキシングして出射する光学部品と、
遮光性を有し、前記光学部品と前記伝送体の一部とを収容する筐体とを有し、
前記第１レンズは、前記光コネクタから前記波長変換素子までの光路上に配置されている
照明装置。
【請求項２】
前記筐体は、筒状体であり、
前記波長変換素子は、前記筐体の開口を塞ぐように前記筐体に取り付けられている
請求項１に記載の照明装置。
【請求項３】
前記第１レンズは、前記光学部品と前記波長変換素子との間に配置され、前記筐体の前記開口を塞ぐように前記筐体に取り付けられている
請求項２に記載の照明装置。
【請求項４】
前記光学部品と前記伝送体との間は、前記筐体によって周囲を囲まれている
請求項１〜３のいずれか１項に記載の照明装置。
【請求項５】
前記伝送体は、複数の光ファイバーケーブルから構成されている
請求項１〜４のいずれか１項に記載の照明装置。
【請求項６】
前記光学部品は、ロッドインテグレータである
請求項１〜５のいずれか１項に記載の照明装置。
【請求項７】
前記光学部品は、前記レーザー光を拡散する拡散板である
請求項１〜５のいずれか１項に記載の照明装置。
【請求項８】
前記光学部品は、フライアイレンズである
請求項１〜５のいずれか１項に記載の照明装置。
【請求項９】
前記灯具は、
前記保持部を有し、前記光コネクタと熱的に接続されているヒートシンクと、
前記波長変換光を配光制御する第２レンズと、
前記波長変換素子から出射された前記波長変換光を前記第２レンズに向けて反射する反射部材とを有する
請求項１〜８のいずれか１項に記載の照明装置。
【請求項１０】
前記灯具は、さらに、前記第１レンズから出射された光を前記波長変換素子に向けて反射する光反射体を有し、
前記波長変換素子は、熱的に接続するように、前記ヒートシンクに固定されている
請求項９に記載の照明装置。
【請求項１１】
前記灯具は、さらに、前記第１レンズから出射された光を前記波長変換素子まで導光させるライトガイドを有し、
前記波長変換素子は、熱的に接続するように、前記ヒートシンクに固定されている
請求項９に記載の照明装置。
【発明の詳細な説明】
【技術分野】
【０００１】
本開示は、レーザー光を用いた照明装置に関する。
【背景技術】
【０００２】
レーザー光を放出するためのレーザー素子と、レーザー光と異なる波長の光を発光するための波長変換素子と、レーザー素子からのレーザー光を波長変換素子に導くための光ファイバーケーブルと、光ファイバーケーブルの一端に保持され、光ファイバーケーブルと光学的に接続しているコネクタとを備える照明装置が開示されている（例えば特許文献１参照）。
【先行技術文献】
【特許文献】
【０００３】
【特許文献１】特開２０１０−６２１０８号公報
【発明の概要】
【発明が解決しようとする課題】
【０００４】
従来の照明装置では、照明装置から光コネクタの着脱を繰り返し行う際に、光コネクタからレーザー光が出射する部分において、光コネクタに塵、埃等が付着することで、光コネクタが発熱によって損傷してしまうことがある。また、照明装置の使用時に、何らかの要因で光コネクタが照明装置から外れた場合、レーザー光の漏洩により人体に損傷を与えることがある。
【０００５】
そこで、本開示は、光コネクタの損傷を抑制しつつ、安全性に優れた照明装置を提供することを目的とする。
【課題を解決するための手段】
【０００６】
上記目的を達成するため、本開示の一態様に係る照明装置は、レーザー光を出射するレーザー素子と、前記レーザー光を伝送させる伝送体と、前記伝送体を伝送した前記レーザー光が入射する光コネクタと、前記光コネクタから出射された前記レーザー光によって波長変換光を発する波長変換素子と、前記光コネクタが出射した前記レーザー光を前記波長変換素子に入射させる第１レンズと、前記波長変換光を照射する灯具とを備え、前記灯具は、前記光コネクタを着脱自在に保持する保持部を有し、前記光コネクタは、透光性を有し、入射した前記レーザー光をミキシングして出射する光学部品と、遮光性を有し、前記光学部品と前記伝送体の一部とを収容する筐体とを有し、前記第１レンズは、前記光コネクタから前記波長変換素子までの光路上に配置されている。
【発明の効果】
【０００７】
本開示の照明装置は、光コネクタの損傷を抑制しつつ、安全性に優れている。
【図面の簡単な説明】
【０００８】
【図１Ａ】図１Ａは、実施の形態１に係る照明装置の斜視図である。
【図１Ｂ】図１Ｂは、実施の形態１に係る照明装置において、励起光源を例示した模式図であり、図１ＡのＩＢ−ＩＢ線における灯具等を例示した断面図である。
【図２Ａ】図２Ａは、実施の形態１に係る照明装置を例示する部分拡大断面図である。
【図２Ｂ】図２Ｂは、実施の形態１に係る照明装置において、灯具に光コネクタを装着する様子を示す断面図である。
【図２Ｃ】図２Ｃは、実施の形態１に係る照明装置に光学部品の拡散板、フライアイレンズ等を用いた場合を例示する部分拡大断面図である。
【図３】図３は、実施の形態２に係る照明装置を例示する部分拡大断面図である。
【図４】図４は、実施の形態３に係る照明装置において、励起光源を例示した模式図であり、灯具等を例示した断面図である。
【図５】図５は、実施の形態３に係る照明装置を例示する部分拡大断面図である。
【図６】図６は、実施の形態４に係る照明装置を例示する部分拡大断面図である。
【発明を実施するための形態】
【０００９】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
以下、本開示の実施の形態に係る照明装置について説明する。
【００１２】
（実施の形態１）
［構成］
図１Ａは、実施の形態１に係る照明装置１の斜視図である。図１Ｂは、実施の形態１に係る照明装置１において、励起光源３を例示した模式図であり、図１ＡのＩＢ−ＩＢ線における灯具５等を例示した断面図である。図２Ａは、実施の形態１に係る照明装置１を例示する部分拡大断面図である。
【００１３】
図１Ａに示すように、照明装置１は、波長変換素子４０がレーザー光の波長を変換した波長変換光を照明光として、灯具５から出射する。灯具５は、例えば、ダウンライト、スポットライト等である。
【００１４】
図１Ｂ及び図２Ａに示すように、照明装置１は、複数の伝送体１１と、光コネクタ２０と、複数の第１レンズ３０と、波長変換素子４０と、灯具５と、複数のレーザー素子８３を有する励起光源３とを有する。
【００１５】
伝送体１１は、励起光源３が発するレーザー光を光コネクタ２０に伝送する光ファイバーケーブルである。本実施の形態では、複数の伝送体１１が設けられている。伝送体１１の一端には励起光源３の発するレーザー光が入射し、伝送体１１の他端では励起光源３の発したレーザー光が出射する。伝送体１１は、例えば、石英ガラス、プラスチック等の材料で構成されている。以下、一端はレーザー光が伝送する光路の上流であり、他端はレーザー光が伝送する光路の下流であることを意味する。
【００１６】
図２Ａに示すように、光コネクタ２０は、複数の伝送体１１を伝送した各々のレーザー光を１つに纏めている。つまり、光コネクタ２０は、複数の伝送体１１を伝送した各々のレーザー光をミキシングし、ミキシングしたレーザー光を出射する。なお、当然のことながら、光コネクタ２０は、１つの伝送体１１を伝送したレーザー光をミキシングすることもできる。
【００１７】
光コネクタ２０は、灯具５に対して着脱自在に固定されている。光コネクタ２０は、例えば、ネジ等の固定部材１５９によって灯具５に固定されている。光コネクタ２０を灯具５に取り付ける様子を図２Ｂに示す。図２Ｂは、実施の形態１に係る照明装置１において、灯具５に光コネクタ２０を装着する様子を示す断面図である。
【００１８】
図２Ｂに示すように、光コネクタ２０は、筐体１２０と、光学部品１３０とを有する。
【００１９】
筐体１２０は、光学部品１３０を収容する筒状体である。筐体１２０には、レーザー光が通過する空間１２３が形成されている。具体的には、筐体１２０の一端及び他端には、開口１２５ａ、１２５ｂがそれぞれ形成されている。筐体１２０の一端の開口１２５ａには、この開口１２５ａを塞ぐように、レーザー光を伝送する伝送体１１が挿通されている。本実施の形態では、筐体１２０の他端の開口１２５ｂは、レーザー光が通過する。一端の開口１２５ａから他端の開口１２５ｂまでが、レーザー光が通過する空間１２３である。
【００２０】
筐体１２０は、遮光性を有する。筐体１２０は、例えば、アルミニウム、鉄等の金属製の材料で構成されている。筐体１２０において、一端の開口１２５ａから他端の開口１２５ｂにかけてレーザー光が通過する。
【００２１】
筐体１２０は、灯具５に固定するための固定部材１５９と係合する第１被係合部１２７を有する。第１被係合部１２７は、例えば固定部材１５９が内部に挿入される凹部、又は、固定部材１５９と当接して光コネクタ２０の移動を抑制する凸部等である。第１被係合部１２７は、筐体１２０の外周面に形成されている。固定部材１５９は雄ネジである。
【００２２】
筐体１２０は、光学部品１３０を固定する環状の支持片１２９ａ、１２９ｂを、内部に有する。
【００２３】
光学部品１３０は、伝送体１１から出射されたレーザー光の入光効率の観点から伝送体１１から離間した状態で、筐体１２０内部つまり空間１２３に配置されている。光学部品１３０は、筐体１２０の内部に嵌め込まれ、支持片１２９ａ、１２９ｂによって固定されている。光学部品１３０は、筐体１２０の他端の開口１２５ｂを塞ぐように、配置されている。つまり、光学部品１３０と伝送体１１との間は、塵、埃等が侵入しないように、筐体１２０によって周囲を囲まれている。光学部品１３０の一端面１３１ａ（入射面）は筐体１２０の一端の開口１２５ａと対向し、光学部品１３０の他端面１３１ｂは筐体１２０の他端の開口１２５ｂと対向している。光学部品１３０の一端面１３１ａはレーザー光の入射面であり、光学部品１３０の他端面１３１ｂはレーザー光の出射面である。
【００２４】
光学部品１３０は、柱状体であり、透光性を有する。光学部品１３０は、伝送体１１を伝送してきたレーザー光が入射し、内部でレーザー光をミキシングする。光学部品１３０では、一端面１３１ａに伝送体１１を伝送してきたレーザー光が入射し、内部を伝送して他端面１３１ｂから出射する。
【００２５】
光学部品１３０は、例えば、ロッドインテグレータ等である。図２Ｃに示すように、光学部品１３０ａは、レーザー光を拡散する拡散板、フライアイレンズ等であってもよい。図２Ｃは、実施の形態１に係る照明装置１の光学部品１３０ａに拡散板、フライアイレンズ等を用いた場合を例示する部分拡大断面図である。光学部品１３０ａを拡散板、フライアイレンズ等とすれば、光コネクタ２０ａの長手方向の厚みを小さくすることができる。光学部品１３０ａは、例えば、石英ガラス、プラスチック等の材料で構成されている。
【００２６】
図２Ａに示すように、第１レンズ３０は、光コネクタ２０から波長変換素子４０までの光路上に配置されている。本実施の形態では、一方の第１レンズ３０は、筐体１２０の他端の開口１２５ｂを介して、光学部品１３０の他端面１３１ｂと対向するように、灯具５内に配置されている。他方の第１レンズ３０は、一方の第１レンズ３０と対向するように、灯具５内に配置されている。一方の第１レンズ３０は、他方面がレーザー光の進行方向に向かって突出する凸レンズである。また、他方の第１レンズ３０は、一方面がレーザー光の進行方向と逆方向に向かって突出する凸レンズである。なお、レーザー光を波長変換素子４０に入射させることができればよいため、第１レンズ３０は凹レンズとしてもよい。
【００２７】
なお、本実施の形態での光路とは、特に言及しない限り、レーザー素子８３から発せられたレーザー光が波長変換素子４０まで伝送する光路だけでなく、波長変換素子４０が波長変換した波長変換光が、照明装置１の第２レンズ１５５を出射するまでの光路をも含む意味である。
【００２８】
波長変換素子４０は、光コネクタ２０から出射されたレーザー光によって波長変換光を発する。波長変換素子４０は、例えば、光コネクタ２０から複数の第１レンズ３０を介して出射したレーザー光によって蛍光を発する蛍光体である。蛍光体は、例えばＹＡＧ（Ｙｔｔｒｉｕｍ  Ａｌｕｍｉｎｕｍ  Ｇａｒｎｅｔ）系蛍光体、あるいはＢＡＭ（Ｂａ、Ｍｇ、Ａｌ）系蛍光体等であり、レーザー光の種類に応じて適宜選択することができる。本実施の形態では、波長変換素子４０に入射したレーザー光は、青色のレーザー光と波長変換光とが交じり合った白色の波長変換光を発する。
【００２９】
波長変換素子４０は、セラミック、シリコーン樹脂等からなる透明材料であるバインダに、分散されて保持されている。つまり、バインダは、波長変換素子４０を結合する媒質である。波長変換素子４０を保持するバインダは、セラミック、シリコーン樹脂に限定されるものではなく、透明ガラス等のその他の透明材料を用いてもよい。波長変換素子４０は、バインダを含めた蛍光体であってもよい。
【００３０】
なお、波長変換素子４０は、例えば、赤色蛍光体、緑色蛍光体、青色蛍光体等であってもよく、レーザー光により、赤色光、緑色光、青色光等の蛍光を発してもよい。この場合、これらの赤色光、緑色光、青色光の波長変換光を混ぜて白色光としてもよい。
【００３１】
波長変換素子４０は、励起光源３からの青色のレーザー光の一部を吸収して、緑色〜黄色に波長変換する複数種類の蛍光体を含んでいてもよい。この波長変換素子４０では、例えば、励起光源３からの青色のレーザー光が出射されると、青色のレーザー光の一部を吸収して緑色〜黄色の蛍光と、蛍光体により吸収されず透過した青色の励起光源３とが合わさり、疑似的な白色の波長変換光を出射する。
【００３２】
灯具５は、波長変換素子４０によって波長変換された波長変換光を照射する器具である。灯具５は、第１ヒートシンク１５１と、外装部１５３と、第２レンズ１５５と、反射部材１５７と、固定部材１５９とを有する。
【００３３】
第１ヒートシンク１５１は、光コネクタ２０及び波長変換素子４０に生じた熱を放熱する放熱部材であり、複数のフィンを有する。第１ヒートシンク１５１は、第１レンズ３０を介して、光コネクタ２０の光学部品１３０の他端面１３１ｂと対向するように、波長変換素子４０を保持している。つまり、波長変換素子４０は、後述する保持部１５０ａの他端に配置されている。第１ヒートシンク１５１は、ヒートシンクの一例である。
【００３４】
第１ヒートシンク１５１は、光コネクタ２０を保持する保持部１５０ａを有する。保持部１５０ａは、光コネクタ２０が挿入された状態で、光コネクタ２０を保持する挿入孔である。保持部１５０ａは、上述の２つの第１レンズ３０の凸部が対抗するように、各々の第１レンズ３０を固定している。保持部１５０ａは、一方の第１レンズ３０と対向するように、光コネクタ２０を所定の姿勢で固定する。
【００３５】
第１ヒートシンク１５１には、光コネクタ２０を固定するために固定部材１５９が挿通する第２被係合部１５９ａが形成されている。第２被係合部１５９ａは、光コネクタ２０を灯具５に装着したときに、光コネクタ２０の筐体１２０に形成されている第１被係合部１２７と対向する。第１被係合部１２７及び第２被係合部１５９ａは雌ネジである。
【００３６】
外装部１５３は、第１ヒートシンク１５１と接続され、光路の下流側に配置されている。外装部１５３は、光路の前後で開く開口を有する筒体である。
【００３７】
第２レンズ１５５は、外装部１５３の開口を塞ぐように外装部１５３に固定されている。具体的には、第２レンズ１５５は、波長変換素子４０から出射された波長変換光が入射するように、波長変換素子４０と対向する姿勢で外装部１５３に固定されている。第２レンズ１５５は、例えばフレネルレンズである。第２レンズ１５５は、所定の照明を行うように波長変換光を配光制御する。
【００３８】
反射部材１５７は、波長変換素子４０から出射された波長変換光を第２レンズ１５５に向けて反射する。反射部材１５７は、波長変換素子４０から第２レンズ１５５に向けて大径化したお椀状である。反射部材１５７は、波長変換素子４０の周囲を囲むように、第２レンズ１５５と対向した状態で、第１ヒートシンク１５１の他端面に固定されている。
【００３９】
励起光源３は、レーザー光を出射する装置である。励起光源３は、収容体８１と、複数のレーザー素子８３と、複数のプリズム８５と、複数の第３レンズ８７と、第２ヒートシンク８９と、駆動回路９１とを有する。
【００４０】
収容体８１は、複数のレーザー素子８３と、複数のプリズム８５と、複数の第３レンズ８７と、複数のフェルール８８と、第２ヒートシンク８９と、駆動回路９１とを収容している。
【００４１】
レーザー素子８３は、駆動回路９１によってレーザー光の出力が制御される。レーザー素子８３は、例えば、青色のレーザー光よりも短い紫色の波長帯域から青色の波長帯域までのレーザー光を発する半導体レーザーによって構成することができる。レーザー素子８３は、例えば、ＩｎＧａＮ系レーザダイオード及びＡｌＩｎＧａＮ系レーザダイオードを用いることもできる。なお、レーザー素子８３が発するレーザー光は、蛍光体を励起させるための光であれば、例えばＬＥＤ（Ｌｉｇｈｔ  Ｅｍｉｔｔｉｎｇ  Ｄｉｏｄｅ）が発する光であってもよい。
【００４２】
複数のレーザー素子８３は、基板に実装されており、基板を介して第２ヒートシンク８９に熱的に接続されている。複数のレーザー素子８３は、伝送体１１の一端面である入射面にレーザー光を入射させる。本実施の形態では、複数のレーザー素子８３のうち一部のレーザー素子８３を一組とした、一組のレーザー素子８３は、プリズム８５にレーザー光を入射させる。レーザー光は、波長変換素子４０を励起させる光である。レーザー光は、例えば、紫色の波長帯域から青色の波長帯域までの光であり、波長変換素子４０から波長変換光を出射させることが可能である。
【００４３】
プリズム８５は、透光性の板状の部材であり、レーザー光を第３レンズ８７に導くライトガイドの機能を有している。プリズム８５は、レーザー素子８３が出射するレーザー光の光軸と直交するように配置、つまり一組のレーザー素子８３と対向するように配置されている。プリズム８５は、一組のレーザー素子８３から出射されたレーザー光を第３レンズ８７に入射させる。
【００４４】
複数の第３レンズ８７は、複数のプリズム８５と一対一で対向するように配置されている。第３レンズ８７は、プリズム８５から出射されたレーザー光を集光して、伝送体１１の一端面に入射させている。本実施の形態では、第３レンズ８７は、凸レンズであるが、凹レンズであってもよい。
【００４５】
フェルール８８は、筐体１２０に固定され、伝送体１１の一端を保持している。具体的には、フェルール８８は、第３レンズ８７から出射されたレーザー光を伝送体１１に入射させるように、伝送体１１の一端を保持している。
【００４６】
第２ヒートシンク８９は、複数のレーザー素子８３に生じた熱を放熱する放熱部材であり、複数のフィンを有する。第２ヒートシンク８９は、レーザー素子８３を実装した基板を固定している。
【００４７】
駆動回路９１は、各々のレーザー素子８３が所定のレーザー光を発するように、各々のレーザー素子８３の出力を駆動制御する。また、駆動回路９１は、各々のレーザー素子８３が発するレーザー光を調光する機能を有する。駆動回路９１は、パルス信号に基づいて、レーザー素子８３を駆動する発振器等で構成されていてもよい。駆動回路９１は、電力線等によって電力系統と電気的に接続され、電力を各々のレーザー素子８３に供給する。
【００４８】
［照明装置の動作等］
このような照明装置１において、灯具５の保持部１５０ａに光コネクタ２０を挿入する。そして、第１ヒートシンク１５１の第２被係合部１５９ａと、筐体１２０の第１被係合部１２７とを対向させる。そして、固定部材１５９を第２被係合部１５９ａ、及び第１被係合部１２７に挿通して、螺合する。こうして、光コネクタ２０は、照明装置１に装着される。また、固定部材１５９を取り外すことで、光コネクタ２０は照明装置１から取り外される。
【００４９】
またこの照明装置１では、各々のレーザー素子８３から発せられたレーザー光が、プリズム８５及び第３レンズ８７を介して、フェルール８８に固定されている伝送体１１の一端面に入射する。伝送体１１を伝送したレーザー光は伝送体１１の他端面から出射し、光コネクタ２０の光学部品１３０の一端面に入射する。レーザー光は、光学部品１３０を導光して、光学部品１３０の他端面から出射し、波長変換素子４０に入射する。波長変換素子４０に入射したレーザー光は、波長変換した波長変換光を出射する。波長変換光は、第２レンズ１５５に入射したり、反射部材１５７によって第２レンズ１５５に向けて反射したりする。第２レンズ１５５は、入射した波長変換光を配光制御して出射する。こうして、この照明装置１では、波長変換光によって照明することができる。
【００５０】
［作用効果］
次に、本実施の形態における照明装置１の作用効果について説明する。
【００５１】
上述したように、本実施の形態に係る照明装置１は、レーザー光を出射するレーザー素子８３と、レーザー光を伝送させる伝送体１１と、伝送体１１を伝送したレーザー光が入射する光コネクタ２０と、光コネクタ２０から出射されたレーザー光によって波長変換光を発する波長変換素子４０と、光コネクタ２０が出射したレーザー光を波長変換素子４０に入射させる第１レンズ３０と、波長変換光を照射する灯具５とを備える。また、灯具５は、光コネクタ２０を着脱自在に保持する保持部１５０ａを有する。さらに、光コネクタ２０は、透光性を有し、入射したレーザー光をミキシングして出射する光学部品１３０と、遮光性を有し、光学部品１３０と伝送体１１の一部とを収容する筐体１２０とを有する。そして、第１レンズ３０は、光コネクタ２０から波長変換素子４０までの光路上に配置されている。
【００５２】
このように、光コネクタ２０の筐体１２０は、光学部品１３０を収容している。筐体１２０は、伝送体１１及び光学部品１３０に塵、埃等が付着することを抑制している。これにより、伝送体１１から出射されたレーザー光が光学部品１３０に入射する際に、伝送体１１及び光学部品１３０に塵、埃等の付着によって伝送体１１及び光学部品１３０が発熱してしまうことを抑制することができる。
【００５３】
また、光コネクタ２０は、内部を通過するレーザー光を遮光する遮光性を有する。このため、光コネクタ２０は、筐体１２０の内部を除いて、導光するレーザー光を外部に出射させない。これにより、光コネクタ２０が不意に灯具５から外れることによって、レーザー光の漏洩により人体に損傷を与えるといったことを抑制することができる。
【００５４】
したがって、この照明装置１では、光コネクタ２０の損傷を抑制しつつ、安全性に優れている。
【００５５】
特に、この照明装置１において、光コネクタ２０は、入射したレーザー光をミキシングすることで、出射する光の出力を平滑化（均一化）することができる。これにより、レーザー光によって波長変換素子４０が局所的に高温になることを抑制することができる。その結果、波長変換素子４０の発熱による波長変換効率の低下を抑制することができる。
【００５６】
また、本実施の形態に係る照明装置１において、光学部品１３０と伝送体１１との間は、筐体１２０によって周囲を囲まれている。
【００５７】
この構成によれば、塵、埃等が光学部品１３０及び伝送体１１に付着することを、より確実に抑制することができる。これにより、伝送体１１から出射されたレーザー光が光学部品１３０に入射する際に、伝送体１１及び光学部品１３０に塵、埃等の付着によって伝送体１１及び光学部品１３０が発熱することによる損傷をより抑制することができる。
【００５８】
また、本実施の形態に係る照明装置１において、伝送体１１は、複数の光ファイバーケーブルから構成されている。
【００５９】
このように、伝送体１１として複数の光ファイバーケーブルを用いることで高出力のレーザー光を波長変換素子４０に入射させることができる。
【００６０】
また、本実施の形態に係る照明装置１において、光学部品１３０は、ロッドインテグレータである。
【００６１】
このため、導光するレーザー光をミキシングすることで、平滑化したレーザー光（トップハット型のレーザー光とも呼ばれている）を波長変換素子４０に入射させることができる。その結果、局所的な波長変換素子４０の発熱による波長変換効率の低下を抑制することができる。
【００６２】
また、本実施の形態に係る照明装置１において、光学部品１３０は、レーザー光を拡散する拡散板である。
【００６３】
このため、レーザー光をミキシングすることで、平滑化したレーザー光を波長変換素子４０に入射させることができる。その結果、波長変換素子４０の発熱による波長変換効率の低下を抑制することができる。
【００６４】
また、拡散板は、透光性の板状であるため、光学部品１３０が長尺である場合よりも光コネクタ２０を薄型化することができる。
【００６５】
また、本実施の形態に係る照明装置１において、光学部品１３０は、フライアイレンズである。
【００６６】
このため、レーザー光をミキシングすることで、平滑化したレーザー光を波長変換素子４０に入射させることができる。その結果、波長変換素子４０の発熱による波長変換効率の低下を抑制することができる。
【００６７】
また、フライアイレンズは、透光性の板状であるため、光学部品１３０が長尺である場合よりも光コネクタ２０ａを小型化することができる。
【００６８】
また、本実施の形態に係る照明装置１において、灯具５は、保持部１５０ａを有し、光コネクタ２０と熱的に接続されている第１ヒートシンク１５１と、波長変換光を配光制御する第２レンズ１５５と、波長変換素子４０から出射された波長変換光を第２レンズ１５５に向けて反射する反射部材１５７とを有する。
【００６９】
このため、照明装置１は、配光制御した光を出射することができる。
【００７０】
（実施の形態２）
［構成］
本実施の形態では、照明装置について図３を用いて説明する。
【００７１】
図３は、実施の形態２に係る照明装置を例示する部分拡大断面図である。
【００７２】
本実施の形態において、実施の形態１の照明装置１と同様である部分については、特に言及する場合を除き、同一の構成については同一の符号を付して構成に関する詳細な説明を省略する。
【００７３】
本実施の形態では、波長変換素子４０は、光コネクタ２２０の筐体２２１に取り付けられている。具体的には、波長変換素子４０は、筐体２２１の他端の開口１２５ｂを塞ぐように、筐体２２１の支持片２２９ｄに固定されている。例えば、波長変換素子４０と筐体２２１と伝送体１１とによって、筐体２２１内に塵、埃等が侵入しないように、光コネクタ２２０は隙間なく構成されている。また、筐体２２１の内部には、複数の第１レンズ３０が配置されている。複数の第１レンズ３０は、光学部品２３０と波長変換素子４０との間に配置されている。各々の第１レンズ３０は、筐体２２１の内部の支持片２２９ｂ、２２９ｃに固定されている。このため、光コネクタ２２０の他端面から出射されたレーザー光が、第１レンズ３０を透光して波長変換素子４０に入射する。
【００７４】
［作用効果］
次に、本実施の形態における照明装置の作用効果について説明する。
【００７５】
上述したように、本実施の形態に係る照明装置において、筐体２２１は、筒状体である。そして、波長変換素子４０は、筐体２２１の開口１２５ｂを塞ぐように筐体２２１に取り付けられている。
【００７６】
これにより、光コネクタ２２０からは波長変換光が出射するため、光コネクタ２２０が灯具２０５から不意に外れたとしても、レーザー光の漏洩により人体に損傷を与えるといったことを抑制することができる。
【００７７】
また、本実施の形態に係る照明装置において、第１レンズ３０は、光学部品２３０と波長変換素子４０との間に配置され、筐体２２１の開口１２５ｂを塞ぐように筐体２２１に取り付けられている。
【００７８】
これにより、光コネクタ２２０内に塵、埃等が侵入することが抑制されるため、光学部品２３０と波長変換素子４０との間に侵入した塵、埃等によって、光学部品２３０及び伝送体１１が発熱したりすることを抑制することができる。
【００７９】
本実施の形態における他の作用効果についても、実施の形態１と同様の作用効果を奏する。
【００８０】
（実施の形態３）
［構成］
本実施の形態では、照明装置３００について図４及び図５を用いて説明する。
【００８１】
図４は、実施の形態３に係る照明装置３００において、励起光源３を例示した模式図であり、灯具３０５等を例示した断面図である。図５は、実施の形態３に係る照明装置３００を例示する部分拡大断面図である。
【００８２】
本実施の形態において、実施の形態１の照明装置１と同様である部分については、特に言及する場合を除き、同一の構成については同一の符号を付して構成に関する詳細な説明を省略する。
【００８３】
図４及び図５に示すように、本実施の形態では、灯具３０５の第１ヒートシンク３５１は、複数の保持部３５０ａを有する。本実施の形態では、第１ヒートシンク３５１には２つの保持部３５０ａが形成されているが、これに限定されない。本実施の形態では、２つの光コネクタ３２０が２つの保持部３５０ａに一対一で挿入されている。１つの光コネクタ３２０には、２組のレーザー素子８３のレーザー光が入射するが、３組以上でもよく、１組でもよい。
【００８４】
図５に示すように、２つの保持部３５０ａは、一点鎖線で示す第１ヒートシンク３５１の中心軸Ｏから離れる位置に形成されている。波長変換素子４０は、第１ヒートシンク３５１の中心軸Ｏと交差する位置で第１ヒートシンク３５１の他端面に固定され、第１ヒートシンク３５１と熱的に接続されている。つまり、波長変換素子４０に生じる熱を放熱し易くするために、波長変換素子４０の一方面を第１ヒートシンク３５１の他端面に接触させている。ここで、中心軸Ｏとは、例えば本実施の形態に示す灯具３０５のように長尺な場合、長手方向において、灯具３０５の中心を通過する軸である。
【００８５】
なお、図示しないが、波長変換素子４０と第１ヒートシンク３５１との間には反射板を配置してもよい。
【００８６】
図４及び図５に示すように、灯具３０５は、さらに、複数の光反射体３６０を有する。光反射体３６０は、外装部１５３に固定されている。具体的には、光反射体３６０は、光コネクタ３２０から出射したレーザー光を波長変換素子４０に向けて反射する姿勢で外装部１５３に固定されている。なお、反射部材１５７には、光反射体３６０が反射したレーザー光を遮らないように、レーザー光を透過させるスリットが形成されている。しかし、光反射体３６０の位置、及び、第１レンズ３７０によるビームスポットの調整によって、レーザー光が反射部材１５７に遮られなければ、反射部材１５７にスリットを形成しなくてもよい。このため、反射部材１５７には、スリットを形成することが必須の構成要件ではない。
【００８７】
こうして、光コネクタ３２０から出射したレーザー光は、第１レンズ３７０で集光されて光反射体３６０に入射する。レーザー光は、光反射体３６０で反射されて、反射部材１５７を透過して波長変換素子４０に入射する。波長変換素子４０は、入射したレーザー光を波長変換光に変換させ、反射板は、レーザー光及び波長変換光を第２レンズ１５５に向けて反射させる。これにより、第２レンズ１５５は、入射した波長変換光を配光制御して出射する。
【００８８】
［作用効果］
次に、本実施の形態における照明装置３００の作用効果について説明する。
【００８９】
上述したように、本実施の形態に係る照明装置３００において、灯具３０５は、さらに、第１レンズ３７０から出射された光を波長変換素子４０に向けて反射する光反射体３６０を有する。そして、波長変換素子４０は、熱的に接続するように、第１ヒートシンク３５１に固定されている。
【００９０】
このため、レーザー光によって生じる波長変換素子４０の熱を第１ヒートシンク３５１に対して放熱させることができるため、波長変換素子４０の発熱による波長変換効率の低下をより抑制することができる。
【００９１】
本実施の形態における他の作用効果についても、実施の形態１と同様の作用効果を奏する。
【００９２】
（実施の形態４）
［構成］
本実施の形態では、照明装置について図５を用いて説明する。
【００９３】
図６は、実施の形態４に係る照明装置を例示する部分拡大断面図である。
【００９４】
本実施の形態において、実施の形態３の照明装置３００と同様である部分については、特に言及する場合を除き、同一の構成については同一の符号を付して構成に関する詳細な説明を省略する。
【００９５】
図６に示すように、本実施の形態では、第１ヒートシンク４５１には１つの保持部４５０ａが形成されているが、これに限定されず、２以上の保持部４５０ａが形成されていてもよい。
【００９６】
灯具４０５は、さらに、ライトガイド４６０を有する。ライトガイド４６０は、第１ヒートシンク４５１における他端面の保持部４５０ａを覆うように、第１ヒートシンク４５１に固定されている。具体的には、ライトガイド４６０は、第１ヒートシンク４５１とライトガイド４６０との間からレーザー光が漏れないように、つまり保持部４５０ａを通過するレーザー光を波長変換素子４０に入射させるように、第１ヒートシンク４５１に固定されている。こうして、ライトガイド４６０は、第１レンズ３０から出射された光を波長変換素子４０まで導光させている。なお、ライトガイド４６０は、外装部１５３に固定されていてもよい。
【００９７】
本実施の形態では、ライトガイド４６０は、断面視で鉤爪状であり、１以上の反射面を有する。ライトガイド４６０は、１つの反射面でレーザー光を波長変換素子４０に導いてもよく、反射面の数は限定されない。また、形状も、反射面の数に依存するため、鉤爪状に限定されない。つまり、ライトガイド４６０は、光コネクタ４２０を出射したレーザー光を波長変換素子４０まで導けばよいため、形状は如何様でもよい。
【００９８】
このように、光コネクタ４２０から出射したレーザー光は、第１レンズ３０でコリメートされてライトガイド４６０に入射する。レーザー光は、ライトガイド４６０を導光して波長変換素子４０に入射する。波長変換素子４０は、入射したレーザー光を波長変換光に変換させ、かつ、変換した波長変換光を第２レンズ１５５に向けて出射させる。これにより、第２レンズ１５５は、入射した波長変換光を配光制御して出射する。
【００９９】
［作用効果］
次に、本実施の形態における照明装置の作用効果について説明する。
【０１００】
上述したように、本実施の形態に係る照明装置において、灯具４０５は、さらに、第１レンズ３０から出射された光を波長変換素子４０まで導光させるライトガイド４６０を有する。そして、波長変換素子４０は、熱的に接続するように、第１ヒートシンク４５１に固定されている。
【０１０１】
このため、レーザー光によって生じる波長変換素子４０の熱を第１ヒートシンク４５１に対して放熱させることができるため、波長変換素子４０の発熱による波長変換効率の低下をより抑制することができる。
【０１０２】
本実施の形態における他の作用効果についても、実施の形態１と同様の作用効果を奏する。
【０１０３】
（その他変形例等）
以上、本開示について、実施の形態１〜４に基づいて説明したが、本開示は、上記実施の形態１〜４に限定されるものではない。
【０１０４】
例えば、上記実施の形態２に係る照明装置において、第２レンズは、光学部品と波長変換素子との間に配置されているが、光コネクタと反射部材との間に配置されていてもよい。
【０１０５】
また、上記実施の形態１〜４に係る照明装置において、光コネクタが灯具に対して着脱自在であるが、着脱の手段は上述には限定されず、公知の手段を用いてもよい。
【０１０６】
その他、実施の形態１〜４に対して当業者が思いつく各種変形を施して得られる形態、本開示の趣旨を逸脱しない範囲で実施の形態１〜４における構成要素及び機能を任意に組み合わせることで実現される形態も本開示に含まれる。
【符号の説明】
【０１０７】
１、３００  照明装置
５、２０５、３０５、４０５  灯具
１１  伝送体
２０、２０ａ、２２０、３２０、４２０  光コネクタ
４０  波長変換素子
３０、３７０  第１レンズ
８３  レーザー素子
１２０、２２１  筐体
１２５ａ、１２５ｂ  筐体の開口
１３０、１３０ａ  光学部品
１５０ａ、３５０ａ、４５０ａ  保持部
１５１、３５１、４５１  第１ヒートシンク（ヒートシンク）
１５５  第２レンズ
１５７  反射部材
３６０  光反射体
４６０  ライトガイド
【図１Ａ】
2020024797.tif 000003
【図１Ｂ】
2020024797.tif 000004
【図２Ａ】
2020024797.tif 000005
【図２Ｂ】
2020024797.tif 000006
【図２Ｃ】
2020024797.tif 000007
【図３】
2020024797.tif 000008
【図４】
2020024797.tif 000009
【図５】
2020024797.tif 000010
【図６】
2020024797.tif 000011